(57)【要約】    【課題】  体内水分をコントロールしにくい老人や要介護者などにも窮屈な装着感や苦痛をほとんど感じることのないようにした筒状編成体を提供する。    【解決手段】  編み糸とゴム糸でもって編成され、身体に着用される筒状編成体において、編み糸には少なくとも２種類の編み糸２０、２１が用いられ、その１種類が絹糸２１、綿糸又は毛糸である一方、少なくとも２種類の編み糸及びゴム糸２２があぜ目１：１のパイル編みのシンカー乗せ編みにて編成され、コース方向の大きな伸縮性が得られるとともに、絹糸、綿糸又は毛糸が肌に接するようになす。【選択図】  図２
2017029505.tif 000002
【特許請求の範囲】
【請求項１】
編み糸とゴム糸でもって編成され、身体に着用される筒状編成体において、
編み糸には少なくとも２種類の編み糸（２０、２１）が用いられ、その１種類が絹糸（２１）、綿糸又は毛糸である一方、上記少なくとも２種類の編み糸（２０、２１）及びゴム糸（２２）があぜ目１：１のパイル編みのシンカー乗せ編みにて編成され、コース方向の大きな伸縮性が得られるとともに、上記絹糸（２１）、綿糸又は毛糸が肌に接するようになしたことを特徴とする筒状編成体。
【請求項２】
上記少なくとも２種類の編み糸（２０、２１）及びゴム糸（２２）があぜ目１：１のパイル編みのシンカー載せ編みに編成されてサポーター又は腹巻が製作されている請求項１記載の筒状編成体。
【請求項３】
上記少なくとも２種類の編み糸（２０、２１）のうちの１種類が絹糸（２１）である請求項１記載の筒状編成体。
【発明の詳細な説明】
【技術分野】
【０００１】
この発明はサポーターや腹巻などの筒状編成体に関し、特にふんわりと包み込んで窮屈な装着感や苦痛感をほとんど感じることがないようにした編成体に関する。
【背景技術】
【０００２】
例えば、足首や膝を保護するサポーターや腹部を保護する腹巻などの筒状編成体は従来より数多く市販されており、冷え症や関節部位に疾患のある者など広範囲にわたり利用されている。
【０００３】
従来、この種の筒状編成体には各種の編み方で筒状に編成し、これを折り返して二重構造に構成したもの、編成した筒状編成体を二重に重ねたものなどが提案されている（特許文献１、特許文献２、特許文献３、特許文献４、特許文献５）。
【０００４】
しかし、従来の二重構造の筒状編成体では、ずれ防止のために全体又は大部分を装着部分に対してきつめとなるように構成すると、使用者は非常に窮屈な感じを抱き、屈伸動作も思うようにいかないことがある一方、逆にフィット感が気にならないくらいの装着感を得るように構成すると、ゆるめとなって使用時の動きに対して筒状編成体のずれが回避し難いものであった。
【０００５】
これに対し、本願発明者は、編み糸とゴム糸及び／又はカバーリングヤーンとでもって連続した筒状編成体を編成し、筒状編成体の半部を折り返すことにより、外層及び内層の二重構造となし、その外層及び内層をあぜ目１：１〜３：１のパイル編みのシンカー乗せ編みにて編成するようにした筒状編成体を提案するに至った（特許文献６）。
【０００６】
この特許文献６記載のサポーターでは、窮屈な装着感や苦痛感を感じることなく、足にピッタリとフィットしてずれの発生が少ないものの、ズボンの下に着用すると、厚ぼったくなって違和感を感じることがあった。
【０００７】
これに対し、本件発明者らは、足首から、少なくとも脛までの間に着用されるサポーターにおいて、編み糸とゴム糸及び／又はカバーリングヤーンとでもって編成された筒状編成体の一部を内側に折り返し該折り返された端縁を筒状編成体に縫合することにより外層及び内層の二重構造に構成し、二重構造の部分を足首に着用し、筒状編成体の残部の一重構造の部分を少なくとも膝に着用されるようになし、二重構造の外層及び内層をあぜ目１：１〜６：２のパイル編みのシンカー乗せ編みにて編成することにより二重構造の外層と内層の間を保温空間に構成し、一重構造の部分をあぜ目１：１のパイル編みのシンカー乗せ編みにて編成し、ふんわりと包み込んで窮屈な装着感や苦痛感を感じることがなく、ズボンの下に着用しても厚ぼったい違和感をあまり感じないサポーターを提供するにいたった（特許文献７）。
【先行技術文献】
【特許文献】
【０００８】
【特許文献１】特開２００６−３４２４６６号公報
【特許文献２】特開２００５−１７１４６０号公報
【特許文献３】実用新案登録第３０６７２６１号公報
【特許文献４】実用新案登録第３０５１３５２号公報
【特許文献５】実用新案登録第３０６８６１４号公報
【特許文献６】特開２００４−３１６０６４号公報
【特許文献７】特開２００１−２２３１０６号公報
【発明の開示】
【発明が解決しようとする課題】
【０００９】
特許文献７記載のサポーターでは、窮屈な装着感や苦痛を感じることなく、足にピッタリとフィットしてずれの発生が少ないものの、体内水分をコントロールし難い傾向のある老人や要介護者などには依然として窮屈な装着感や苦痛を感じ、この点が改良の余地があった。
【００１０】
本発明はかかる点に鑑み、体内水分をコントロールしにくい老人や要介護者などにも窮屈な装着感や苦痛をほとんど感じることのないようにした筒状編成体を提供することを課題とする。
【課題を解決するための手段】
【００１１】
そこで、本発明に係る筒状編成体は、編み糸とゴム糸でもって編成され、身体に着用される筒状編成体において、編み糸には少なくとも２種類の編み糸が用いられ、その１種類が絹糸、綿糸又は毛糸である一方、上記少なくとも２種類の編み糸及びゴム糸があぜ目１：１のパイル編みのシンカー乗せ編みにて編成され、コース方向の大きな伸縮性が得られるとともに、上記絹糸、綿糸又は毛糸が肌に接するようになしたことを特徴とする。
【００１２】
パイル編みのシンカー乗せ編みによる編み生地はパイル編みのシンカー乗せ編みによる編み生地を一重構造にすると、締め付け力が小さく、伸びはパイル編みや平編みに比して２倍〜３倍以上にもなる。
【００１３】
本発明の特徴の１つは筒状編成体をあぜ目１：１のパイル編みのシンカー乗せ編みにて編成するようにした点にある。これにより、大きな伸び特性によって足首をふんわりと包み込むような快い着用感が得られ、体内水分をコントロールし難い傾向のある老人や要介護者などが着用しても窮屈な装着感や苦痛を感じることがほとんどない。
【００１４】
また、パイル編みのシンカー乗せ編みによる大きな伸び特性により、小さな力でサポーターや腹巻の全体がコース方向に大きく伸びるので、手足の筋力が弱った老人や病人でも容易に履くことができ、又脱ぐ時にも簡単に脱ぐことができる。
【００１５】
本発明の第２の特徴は少なくとも２種類の編み糸を用い、その一方に絹糸、綿糸又は毛糸を用いるようにした点にある。これにより、肌に当たる部分が絹糸、綿糸又は毛糸となるので、絹糸による優れた肌触り、夏期には着用していて涼しく、綿糸による優れた吸湿・吸熱性が得られ、毛糸による優れた暖房性が得られる。
【００１６】
本発明に係る筒状編成体にはサポーター（保温サポーター及びレッグウォーマーを含む）や腹巻が含まれる。
【００１７】
例えば、サポーターや腹巻を編成する場合、少なくとも２種類の編み糸及びゴム糸をあぜ目１：１のパイル編みのシンカー載せ編みに編成してサポーターを製作するのがよい。１：２や１：３とすると、筒状編成体が一重構造であるので、ゴム糸が肌に当たることになって違和感があるからである。
【００１８】
編み糸は２種類以上の編み糸を使用し、一方が絹糸であればよい。編み糸の材質については特に限定されず、綿糸、綿アクリル混紡糸、毛糸、毛アクリル混紡糸、絹糸、絹アクリル混紡糸等の組合せを用いることができる。
【図面の簡単な説明】
【００１９】
【図１】本発明に係るサポーターの好ましい実施形態を示す概略斜視図である。
【図２】上記実施形態の編み組織の例を示す図である。
【図３】上記実施形態においてパイル編みのシンカー乗せ編みを説明するための図でる。
【図４】第２の実施形態を示す概略斜視図である。
【発明を実施するための最良の形態】
【００２０】
以下、本発明を図面に示す具体例に基づいて詳細に説明する。図１ないし図３は本発明に係る筒状編成体の好ましい実施形態を示し、これはサポーターに適用した例である。図において、サポーター（筒状編成体）１０は２本の２０番手の綿糸２０、綿番手で２８番手の１本の絹糸２１、１００番のゴム糸２２を用い、パイル編みのシンカー乗せ編みにてあぜ目１：１、つまりゴム糸２２が１目おきに編み込まれるように編成されている。編み組織の具体例を図２に示す。
【００２１】
ここで、本例におけるパイル編みのシンカー乗せ編みを説明すると、図３に示されるように、パイル編みにおける編み糸２０と絹糸２１をシンカー３０の頭３１に乗せて編む方法である一方、パイル編みでは編み糸２０はシンカー３０の頭３１に乗せ、絹糸２１は乗せずに編成する。ゴム糸２２はシンカー３０の頭に乗せずにコース方向に適当な目数を飛ばしながら編み込む。
【００２２】
従って、パイル編みのシンカー乗せ編みではパイル編みのようなパイルはできないが、伸縮弾性がゴム糸２２の伸縮弾性に依存し、パイル編みと同じ大きさでありながら、伸びが２倍ないし３倍と大きく、締付けが小さくなる。
【００２３】
本例のサポーター１０を製造する場合、シングルシリンダ又はダブルシリンダの編み機を用い、パイル編みのシンカー乗せ編みにて筒状編成体１０をあぜ目が１：１となるように編成し、筒状編成体１０の両端縁２４を縁処理する。
【００２４】
以上のような本例のサポーター１０ではパイル編みのシンカー乗せ編みの編み組織の特性に起因して、大きな伸び特性が得られ、体内水分をコントロールし難い傾向のある老人や要介護者などが着用しても窮屈な装着感や苦痛を感じることはなく、足首をふんわりと包み込むような快い着用感が得られる。
【００２５】
図４は第２の実施形態を示し、これは腹巻に適用した例である。図において、図１ないし図３と同一符号は同一又は相当部分を示す。本例では腹巻（筒状編成体）１０は２本の２０番手の綿糸２０、綿番手で２８番手の１本の絹糸２１、１００番のゴム糸２２を用い、パイル編みのシンカー乗せ編みにてあぜ目１：１に編成されている。編み組織の具体例は図２に示すとおりである。
【符号の説明】
【００２６】
１０    筒状編成体（サポーター、腹巻）
２０    編み糸
２１    絹糸
２２    ゴム糸
３０    シンカー
３１    頭部
【図１】
2017029505.tif 000003
【図２】
2017029505.tif 000004
【図３】
2017029505.tif 000005
【図４】
2017029505.tif 000006